【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
ネットワークにおいてデータを共有する方法であって、前記ネットワークは、複数の異なるネットワーク・リソース共有プロトコルを使用する複数のネットワーク機器を含み、前記方法は、ファイル・システムを有するプロキシ装置によって実施され、前記方法は、
前記ネットワークを使用するための第１のネットワーク機器の登録の要求を前記第１のネットワーク機器から受信するステップであって、前記プロキシ装置は、前記第１のネットワーク機器から、前記登録の期間中に、前記第１のネットワーク機器によって使用されるオペレーティング・システムのタイプとネットワーク・リソース共有プロトコルのタイプとの特定を可能にする情報を取得する、前記受信するステップと、
前記第１のネットワーク機器に対して他のネットワーク機器によって共有されるデータへのアクセス権を与えるために、前記プロキシ装置によって使用されるネットワーク・リソース共有プロトコルのタイプを、前記タイプ情報に応じて決定するステップと、
前記決定されたネットワーク・リソース共有プロトコルのタイプに従って、前記プロキシ装置の前記ファイル・システム内に第１のディレクトリを作成するステップであって、前記第１のディレクトリは、前記第１のネットワーク機器によって共有され、かつ記憶されるデータへの前記プロキシ装置用のアクセス・ポイントとなる、前記作成するステップと、
前記第１のネットワーク機器によって使用される前記オペレーティング・システムと前記ネットワーク・リソース共有プロトコルとに適合した命令を含むアプリケーションを前記第１のネットワーク機器に送信するステップと、
前記第１のネットワーク機器によって前記アプリケーションを実行するステップであって、前記アプリケーションは、前記第１のネットワーク機器の前記ファイル・システム内に、前記第１のネットワーク機器が他のネットワーク機器と共有するデータを記憶できる、前記第１のネットワーク機器用の記憶スペースを含む第２のディレクトリと、前記プロキシ装置の前記ファイル・システムを介して少なくとも１つの他のネットワーク機器によって共有されるデータへのアクセス権を与える第３のディレクトリとを作成する、前記実行するステップと、
を含む、前記方法。
【請求項２】
前記方法は、ネットワーク機器を前記ネットワークに接続するステップを含み、前記接続するステップの一部として、前記プロキシ装置は、前記第１のネットワーク機器上に作成された前記第２のディレクトリを、前記プロキシ装置上に作成された前記第１のディレクトリにアタッチし、更に、少なくとも１つの他のネットワーク機器によって共有されるデータへのアクセス権を前記第１のネットワーク機器に与える前記プロキシ装置上の１つまたは複数のディレクトリを前記第３のディレクトリにアタッチする、請求項１に記載の方法。
【請求項３】
前記プロキシ装置は、前記第１のネットワーク機器によって使用されるネットワーク・リソース共有プロトコルの前記タイプに適用可能なファイル・アクセス方式を、前記少なくとも１つの他のネットワーク機器によって使用される少なくとも１つのタイプのファイル・アクセス方式に変換し、かつ、前記プロキシ装置は、前記変換されたファイル・アクセス方式を前記少なくとも１つの他のネットワーク機器に送信する、請求項１または２に記載の方法。
【請求項４】
前記プロキシ装置の前記ファイル・システムは仮想ファイル・システムである、請求項１から３のいずれか１項に記載の方法。
【請求項５】
ネットワークにおいてデータを共有するプロキシ装置であって、前記ネットワークは、複数の異なるネットワーク・リソース共有プロトコルを使用する複数のネットワーク機器を含み、前記プロキシ装置はファイル・システムを有し、前記プロキシ装置は、
前記ネットワークを使用するための第１のネットワーク機器の登録の要求を前記第１のネットワーク機器から受信するネットワーク・インタフェースであって、前記プロキシ装置は、前記第１のネットワーク機器から、前記登録の期間中に、前記第１のネットワーク機器によって使用されるオペレーティング・システムのタイプとネットワーク・リソース共有プロトコルのタイプとを特定することを可能にする情報を取得する、前記ネットワーク・インタフェースと、
前記第１のネットワーク機器に対して他のネットワーク機器によって共有されるデータへのアクセス権を与えるために、前記プロキシ装置によって使用されるネットワーク・リソース共有プロトコルのタイプを、前記情報に応じて決定する処理装置と、
前記決定されたネットワーク・リソース共有プロトコルのタイプに従って、前記プロキシ装置の前記ファイル・システム内に第１のディレクトリを作成する中央処理装置であって、前記第１のディレクトリは、前記第１のネットワーク機器によって共有され、かつ記憶されるデータへの前記プロキシ装置用のアクセス・ポイントとなる、前記中央処理装置と、
前記第１のネットワーク機器によって使用される前記オペレーティング・システムと前記ネットワーク・リソース共有プロトコルとに適合した命令を含むアプリケーションを前記第１のネットワーク機器に送信するネットワーク・インタフェースと、
を備え、
前記アプリケーションは、前記第１のネットワーク機器によって実行されると、前記第１のネットワーク機器の前記ファイル・システム内に、前記第１のネットワーク機器が他のネットワーク機器と共有するデータを記憶できる、前記第１のネットワーク機器用の記憶スペースを含む第２のディレクトリと、前記プロキシ装置の前記ファイル・システムを介して少なくとも１つの他のネットワーク機器によって共有されるデータへのアクセス権を与える第３のディレクトリとを作成する、前記プロキシ装置。
【手続補正２】
【補正対象書類名】明細書
【補正対象項目名】００４３
【補正方法】変更
【補正の内容】
【００４３】
図２によって例示されているような装置２２１及び２２０以外のタイプのプロキシ装置、例えば、複数のプロセッシング・ユニットを備えた装置も、場合によっては依然として本発明に適合する。あるいは、本発明は、ハードウェア・コンポーネントとソフトウェア・コンポーネントとの組み合わせによって実施され、専用のハードウェア・コンポーネントによって、プロキシ装置のＣＰＵがソフトウェアで実行されるタスクから解放されて、処理速度が向上する。特定の実施形態によれば、本発明は、例えば専用のコンポーネント（例えば、ＡＳＩＣ＜Application  Specific  Integrated  Circuit＞、ＦＰＧＡ＜Field-Programmable  Gate  Array＞、あるいは、ＶＬＳＩ＜Very  Large  Scale  Integration＞）としてのハードウェアで、あるいは、装置に内蔵された別個の電子部品としてのハードウェアで完全に実施され、あるいは、ハードウェアとソフトウェアの組み合わせの形態で実施される。
（付記）
（付記１）
ネットワークにおいてデータを共有する方法であって、前記ネットワークは、複数の異なるネットワーク・リソース共有プロトコルを使用している複数の機器を含み、前記方法は、ファイル・システムを有するプロキシ装置（２２０，２２１）によって実施され、前記方法は、
前記ネットワークを使用するための第１のネットワーク機器の登録の要求を前記第１のネットワーク機器から受信するステップ（４００）であって、前記プロキシ装置（２２０，２２１）は、前記第１のネットワーク機器から、前記登録の期間中に、前記第１の機器によって使用されているオペレーティング・システムのタイプとネットワーク・リソース共有プロトコルのタイプとを特定することを可能にする情報を取得する、前記受信するステップと、
前記第１の機器に対して他のネットワーク機器によって共有されているデータへのアクセス権を与えるために、前記プロキシ装置（２２０，２２１）が使用すべきネットワーク・リソース共有プロトコルのタイプを、前記タイプ情報に応じて特定するステップ（４０１）と、
前記特定されたネットワーク・リソース共有プロトコルのタイプに従って、前記プロキシ装置（２２０，２２１）の前記ファイル・システム内に第１のディレクトリを作成するステップ（４０１）であって、該第１のディレクトリは、前記第１の機器によって共有され、かつ記憶されているデータへの前記プロキシ装置用のアクセス・ポイントになっている、前記作成するステップと、
前記第１の機器によって使用されている前記オペレーティング・システムと前記ネットワーク・リソース共有プロトコルとに適合した命令を含むアプリケーションを前記第１の機器に送信するステップ（４０２）と、
前記第１の機器によって前記アプリケーションを実行するステップ（４０３）であって、前記アプリケーションは、前記第１の機器の前記ファイル・システム内に、前記第１の機器が他のネットワーク機器と共有するデータを記憶できる、前記第１の機器用の記憶スペースを含んでいる第２のディレクトリと、前記プロキシ装置（２２０，２２１）の前記ファイル・システムを介して少なくとも１つの他のネットワーク機器によって共有されているデータへのアクセス権を与える第３のディレクトリとを作成する、前記実行するステップと、
を含むことを特徴とする前記方法。
（付記２）
前記方法は、機器を前記ネットワークに接続するステップ（４０４）を含んでおり、該接続するステップの一部として、前記プロキシ装置（２２０，２２１）は、前記第１の機器上に作成された前記第２のディレクトリを、前記プロキシ装置（２２０，２２１）上に作成された前記第１のディレクトリにアタッチし、更に、少なくとも１つの他のネットワーク機器によって共有されているデータへのアクセス権を前記第１の機器に与える前記プロキシ装置（２２０，２２１）上の１つ以上のディレクトリを前記第３のディレクトリにアタッチすることを特徴とする、付記１に記載の方法。
（付記３）
前記プロキシ装置（２２０，２２１）は、前記第１の機器によって使用されているネットワーク・リソース共有プロトコルの前記タイプに適用可能なファイル・アクセス方式を、前記少なくとも１つの他のネットワーク機器によって使用されている少なくとも１つのタイプのファイル・アクセス方式に変換し、かつ、前記プロキシ装置（２２０，２２１）は、前記変換されたファイル・アクセス方式を前記少なくとも１つの他のネットワーク機器に送信することを特徴とする、付記１または２に記載の方法。
（付記４）
前記プロキシ装置（２２０，２２１）の前記ファイル・システムは仮想ファイル・システムである、付記１から３のいずれか１つに記載の方法。
（付記５）
ネットワークにおいてデータを共有するプロキシ装置（２２０，２２１）であって、前記ネットワークは、複数の異なるネットワーク・リソース共有プロトコルを使用している複数の機器を含み、前記プロキシ装置（２２０，２２１）はファイル・システムを有し、前記プロキシ装置は、
前記ネットワークを使用するための第１のネットワーク機器の登録の要求を前記第１のネットワーク機器から受信（４００）するネットワーク・インタフェース（２２１２）であって、前記プロキシ装置（２２０，２２１）は、前記第１のネットワーク機器から、前記登録の期間中に、前記第１の機器によって使用されているオペレーティング・システムのタイプとネットワーク・リソース共有プロトコルのタイプとを特定することを可能にする情報を取得する、前記ネットワーク・インタフェースと、
前記第１の機器に対して他のネットワーク機器によって共有されているデータへのアクセス権を与えるために、前記プロキシ装置（２２０，２２１）が使用すべきネットワーク・リソース共有プロトコルのタイプを、前記情報に応じて特定（４０１）する処理装置（２２１０）と、
前記特定されたネットワーク・リソース共有プロトコルのタイプに従って、前記プロキシ装置（２２０，２２１）の前記ファイル・システム内に第１のディレクトリを作成（４０１）する中央処理装置（２２１０）であって、該第１のディレクトリは、前記第１の機器によって共有され、かつ記憶されているデータへの前記プロキシ装置用のアクセス・ポイントになっている、前記中央処理装置と、
前記第１の機器によって使用されている前記オペレーティング・システムと前記ネットワーク・リソース共有プロトコルとに適合した命令を含むアプリケーションを前記第１の機器に送信（４０２）するネットワーク・インタフェース（２２１２）と、
を備えており、
前記アプリケーションは、前記第１の機器によって実行（４０３）されると、前記第１の機器の前記ファイル・システム内に、前記第１の機器が他のネットワーク機器と共有するデータを記憶できる、前記第１の機器用の記憶スペースを含んでいる第２のディレクトリと、前記プロキシ装置（２２０，２２１）の前記ファイル・システムを介して少なくとも１つの他のネットワーク機器によって共有されているデータへのアクセス権を与える第３のディレクトリとを作成することを特徴とする、前記プロキシ装置。